(57)【要約】      （修正有）【課題】パチンコ遊技機の裏面に賞球払出機構と連繋して設けられる賞球払出誘導構造の厚みを軽減し、遊技機そのものを薄型化すること。【解決手段】遊技機本体の裏面の機構板に設けられる入賞信号により賞球を払出する賞球払出機構部、及びその賞球払出機構部８０から払出される賞球を一時的に保留する賞球保留部１１５と同一平面的に賞球通路樋体１１８が設けられ、賞球保留部１１５よりオーバーフローする賞球はその賞球通路樋体１１８の傾斜面１３４に沿って側方へ平面誘導され賞球通路１３５を通って球受け皿（下受け皿）１７に払出される。【選択図】図９（ａ）
2004358220.tif 000002
【特許請求の範囲】
【請求項１】
遊技機本体の裏面に入賞信号により賞球を払出する賞球払出機構部が設けられると共に、該賞球払出機構部から払出される賞球を一時的に保留する賞球保留部が前記賞球払出機構部と同一平面的に設けられ、さらに該賞球保留部よりオーバーフローする賞球を側方へ平面誘導し球受け皿に払出する賞球通路樋体が該賞球保留部と同一平面的に設けられていることを特徴とするパチンコ遊技機における賞球払出誘導構造。
【請求項２】
前記賞球保留部が上面開口した箱型をなすと共に前記賞球払出機構部の賞球払出開放下端口がその上面開口した箱型の賞球保留部の上方部位に位置し、該賞球払出開放下端口より放出される賞球が前記賞球保留部に保留されるように構成したことを特徴とする請求項１に記載されるパチンコ遊技機における賞球払出誘導構造。
【発明の詳細な説明】
【技術分野】
【０００１】
本発明は、パチンコ遊技機に関し、さらに詳しくは、パチンコ遊技機の遊技盤面に設けられる入賞口に遊技球が入った時に遊技機裏面に設けられる賞球払出機構部より遊技者に払出される賞品球（以下、「賞球」と略称する）の払出誘導構造に関するものである。
【背景技術】
【０００２】
近年、パチンコ遊技機においては、いわゆるフィーバータイプのものが人気を集めており、遊技盤面の特定の入賞口に遊技球が入ると特別図柄表示装置の複数の図柄（数字や絵模様等）が変動し、停止時の図柄の組合せによって「大当り」と称されるように、しばらくの間その遊技盤面の大入賞口が何回か連続して開放され、その間に多数の入賞が得られ遊技者に大量の賞球が払出されるようになっている。
【０００３】
このようなフィーバータイプのパチンコ遊技機において、遊技機本体の裏面には、遊技盤面の各入賞口に入賞があったことの信号を受けて遊技者に賞球を払出する賞球払出機構部が設けられ、その賞球払出機構部より払出される賞球は、同じくその遊技機本体の裏面に設けられる賞球保留部に一時的に保留されて遊技機本体の前面に設けられる球受け皿へ払出される（上受け皿と下受け皿とがあり、最初は上受け皿へ払出され、上受け皿が満杯になると下受け皿へ払出される。）。
【０００４】
そしてこれがフィーバーの状態（つまり「大当り」の状態）になると、賞球払出機構部から連続して賞球が賞球保留部へ払出されるため賞球保留部はすぐに満杯となる。そのため賞球保留部よりオーバーフローする賞球は、その賞球保留部に連設される賞球通路樋体を介して下受け皿へ払出されるようになっている。
【０００５】
【特許文献１】実開昭５８−０１８５９０号公報
【特許文献２】特開平０９−０１０４１０号公報
【発明の開示】
【発明が解決しようとする課題】
【０００６】
しかしながら、従来のパチンコ遊技機においては、その賞球通路樋体が賞球払出機構部や賞球保留部とは平面的ではなく、賞球保留部より遊技機本体の裏面手前側に賞球の流路、つまり賞球通路樋体が設けられ、この賞球通路樋体が遊技機本体の裏面に膨んだ状態で設けられているので遊技機全体がぶ厚いものとなり、非常に嵩ばるという問題があった。
【０００７】
またこのようにフィーバーの状態になると、賞球払出機構部からは多量の賞球が連続的に放出され、賞球保留部ではその受入れが追いつかず充分に賞球を保留維持できない。そのために遊技機内における賞球の球詰まり等のトラブルが生じ、遊技者に迷惑を掛けることも問題であった。
【０００８】
本発明の解決しようとする課題は、遊技機本体の裏面に賞球払出機構部や賞球保留部が設けられるパチンコ遊技機において、賞球保留部よりオーバーフローする賞球を球受け皿（下受け皿）へ払出する賞球通路樋体をその賞球保留部と同一平面的に設けることにより遊技機本体を薄型化し、遊技機そのものが嵩ばらないようにした賞球払出誘導構造を提供することにある。またフィーバーの状態などにおいて賞球払出機構部より放出される賞球の遊技者への払出がスムーズに行われるようにすることにもある。
【課題を解決するための手段】
【０００９】
この課題を解決するために本発明に係るパチンコ遊技機の賞球払出誘導構造は、遊技機本体の裏面に入賞信号により賞球を払出する賞球払出機構部が設けられると共に、該賞球払出機構部から払出される賞球を一時的に保留する賞球保留部が前記賞球払出機構部と同一平面的に設けられ、さらに該賞球保留部よりオーバーフローする賞球を側方へ平面誘導し球受け皿に払出する賞球通路樋体が該賞球保留部と同一平面的に設けられていることを要旨とするものである。
【００１０】
この場合に前記賞球保留部が上面開口した箱型をなすと共に前記賞球払出機構部の賞球払出開放下端口がその上面開口した箱型の賞球保留部の上方部位に位置し、該賞球払出開放下端口より放出される賞球が賞球保留部に保留されるように構成するとよい。
【発明の効果】
【００１１】
上記構成を有するパチンコ遊技機における賞球払出誘導構造によれば、賞球払出機構部より払出される賞球は賞球保留部に一時的に保留され球受け皿（通常は上受け皿）へ払出されるが、そのときに賞球保留部が満杯となりオーバーフローした賞球はこれらの賞球払出機構部や賞球保留部と同一平面で設けられる賞球通路樋体を介して平面誘導され下受け皿へ払出される。そしてこのような構成であるから、遊技機本体そのものの厚みを軽減でき、薄型化が実現されるものである。
【００１２】
また前記賞球保留部が上面開口した箱型をなすと共に前記賞球払出機構部の賞球払出開放下端口がその上面開口した箱型の賞球保留部の上方部位に位置し、該賞球払出開放下端口より放出される賞球が賞球保留部に保留されるように構成すれば、多数個の賞球が連続的に賞球払出機構部より放出されても賞球保留部に確実に保留維持されることとなり、遊技者へのスムーズな賞球の払出し動作が実現されるものである。
【発明を実施するための最良の形態】
【００１３】
以下、本発明の好適な実施の形態を図面を参照して詳細に説明する。図１は、本実施例のパチンコ遊技機の正面図、図２はその外観斜視図を示したものである。パチンコ遊技機１０は、パチンコ機本体側部を構成する外枠１１と、パチンコ機前面部のベースとなる内枠１２とを備え、その内枠１２の額縁状に形成された開口内周縁には金枠１３が嵌められると共に、その金枠１３には遊技盤１４の前面を覆うガラス扉１５が開閉可能に設けられる。
【００１４】
そしてガラス扉１５の下方位置には、打球発射装置に供給される遊技球を貯留するための受け皿（上受け皿）１６が取り付けられ、更にその下方には、賞品球の排出時に上受け皿１６から溢れた球を貯留するための球受け皿（下受け皿）１７が設けられている。尚、上受け皿１６に設けられる球抜きボタン１８の操作により上受け皿１６内の遊技球が下受け皿１７に向けて抜き落とされる。
【００１５】
下受け皿１７の図中右側位置には、遊技球を遊技盤１４面に向けて弾発発射する発射レバー２０が設けられ、この発射レバー２０には遊技球を一球毎に発射する為の単発スイッチ２１が備えられる。発射レバー２０の回動操作する量に応じて遊技球を遊技盤１４面に向けて弾発発射する程度が調整されるとともに、所定回動位置の検出により発射電源が投入されるようになっている。前記内枠１２の上辺縁から図中右側辺縁には、合成樹脂製のレンズ体で構成される枠トップ飾り２３が設けられ、この枠トップ飾り２３の内部には、枠飾りランプ２４，２４…や前記ガラス扉１５開閉用の鍵穴２５の周囲を飾る鍵飾りランプ２６が設けられている。
【００１６】
パチンコ遊技機１０の一側には、プリペイドカードによる玉貸機（以下、「プリペイドカードユニット」と称する）３０が設置される。このプリペイドカードユニット３０は、１台の遊技機に１台づつ設置される。このプリペイドカードユニット３０の設置に対応してパチンコ遊技機１０の前記上受け皿１６には、プリペイドカードによる遊技球の貸出し操作を行う為の球貸し操作部３１が設けられ、この球貸し操作部３１には、プリペイドカードによる球貸出しを操作する球貸出しボタン３２、その球貸出しの可能状態を示す球貸出しボタンランプ３３、プリペイドカードを排出させるカード返却ボタン３４、プリペイドカードの残高表示、及びエラー表示を行う度数表示部３５等が備えられている。
【００１７】
プリペイドカードの使用に際しては、プリペイドカードユニット３０に備えられるカード利用可表示ランプ３６の点灯中にカード挿入口３７にプリペイドカードを挿入し、金額設定ボタン３８を操作することにより、貸出し金額（１００円、２００円、３００円、５００円等）を選択することができる。前記上受け皿１６に備えられる球貸し操作部３１の球貸出しボタン３２を操作することにより、予め選択された金額の球技球が貸出されることになる。
【００１８】
前記内枠１２の前面に設けられる遊技盤１４は、遊技板に装着された金属製の内レール４１、打球槌により打球発射位置より弾発発射された遊技球を盤面に向けて誘導する為の外レール４２、打球位置及び発射レールより転動し遊技盤面に至った球の跳ね返り作用により再び打球が発射レールや打球位置に戻ることを防止するファール止４３、打球位置より転動してきた過大な飛送力を有する球を遊技板右上部において衝撃を吸収しつつ停止阻止し遊技板面下に向けて落下させる返しゴム４８等によりその周囲が構成され、その内側に遊技領域が形成される。
【００１９】
図３は、その遊技盤面を拡大して示したものである。遊技盤１４の遊技領域の中央やや上方には特別図柄表示装置５０が設けられ、その中央部に３つの特別図柄表示部（図中左から順に左図柄表示部５０Ａ、中図柄表示部５０Ｂ、右図柄表示部５０Ｃが設けられる。各図柄表示部５０Ａ、５０Ｂ、５０Ｃは、夫々「１、２、３、４、５、６、７、８、９」までの数字と、「法師、鬼、車、姫、小槌」の各図柄の計１４種類の表示によって構成される。
【００２０】
特別図柄表示装置５０の直下位置には第１始動入賞口５１が設けられ、更にその下方位置に第１種特別電動役物５２及び普通電動役物（第１種始動入賞口）５３が設けられる。第１種特別電動役物５２は、通常は閉じている大入賞口５４と、その大入賞口５４が開放されたときに遊技球の入賞が可能な特定入賞口５５とを備える。また普通電動役物５３も通常は閉じており、後述する普通図柄表示装置の表示記号によって開閉動作されるようになっている。
【００２１】
遊技球発射装置により遊技盤１４面に発射された遊技球が第１種始動入賞口５１又は普通電動役物（第１種始動入賞口）５３に入賞すると、特別図柄表示装置５０の特別図柄が左図柄５０Ａ、中図柄５０Ｂ、右図柄５０Ｃの順で変動を開始する。その速度は遊技者がそれらの表示の変化を目で追えない程度に速いものである。そして所定時間経過後、左図柄５０Ａ、中図柄５０Ｂ、右図柄５０Ｃの順で変動停止される。そのときに変動停止した時の各図柄５０Ａ、５０Ｂ、５０Ｃの組合せが、全て一致した時には、いわゆる「大当り」と称せられる特別遊技状態が得られ、条件装置が作動する。
【００２２】
条件装置が作動すると第１種特別電動役物５２が作動し、大入賞口５４が約２５.０ 秒間開放される。その大入賞口５４の開放中及び第１種特別電動役物５２の作動終了から約２.０秒以内に、遊技球が特定入賞口５５を通過すると役物連続作動装置が作動し、その第１種特別電動役物５２の開放動作終了後、再びその第１種特別電動役物５２が作動して大入賞口５４が開放される。この大入賞口５４が開放される都度その大入賞口５４に遊技球が１０個入賞した時は、開放動作時間中であってもその大入賞口５４はいったん閉じられ、所定の短いインターバル時間（例えば、３〜４秒）経過後、次の開放動作へ移行する。
【００２３】
この「大当り」の遊技状態における第１種特別電動役物５２の連続開閉作動は最高１６回まで繰り返される。但し、大入賞口５４が開放動作中及び第１種特別電動役物５２の作動終了から約２.０秒以内に、遊技球が特定入賞口５５を通過しなかった場合、その大入賞口５４の開放動作の終了後、新たにその大入賞口５４が開放されることはなく、これにより「大当り」の遊技状態は終了する。
【００２４】
尚、第１種始動入賞口５１及び普通電動役物（第１種始動入賞口）５３の賞球の個数は４個まで記憶され、その個数分特別図柄表示装置５０の左右に設けられる特別図柄用記憶表示ＬＥＤ５６ａ〜５６ｄが点灯する。特別図柄表示装置５０の図柄５０Ａ、５０Ｂ、５０Ｃの組合せがこの特別図柄表示用ＬＥＤが点灯し始動入賞の記憶ある間は、その記憶表示ＬＥＤ５６ａ〜５６ｄに表示される個数分の図柄変動停止が繰り返される。
【００２５】
特別図柄表示装置５０の直上位置には７セグデジタル表示の普通図柄表示装置６０が設けられる。この普通図柄表示装置６０の図柄は、「Ａ、ｂ、Ｃ、ｄ、Ｅ、−」の６種類によって表示される。この普通図柄表示装置６０の図柄は、遊技盤１４面の特別図柄表示装置５０の左右両側に遊技球が通過可能なゲート６１ａ、６１ｂが備えられ、遊技球がこのゲート６１ａ、６１ｂを通過すると変動を開始する。普通図柄表示装置６０には、通常モードと変動時間短縮モードの２種類の状態があり、普通図柄は変動を開始してから通常モード時は約２９.０秒、変動時間短縮モード時は約５.０秒経過すると変動停止する。
【００２６】
そして変動停止した普通図柄が「Ａ、ｂ，Ｃ，ｄ，Ｅ」のいずれかの時、前記普通電動役物（第１種始動入賞口）５３が通常モード時は約０.３ 秒、変動時間短縮モード時は約０.８秒間の開放動作を行う。その間に普通電動役物（第１種始動入賞口）５３に遊技球が入賞すれば、その入賞個数分だけ前述の特別図柄表示装置５０の特別図柄の変動開始回数が増えることになる。尚、普通図柄が「−」で停止した場合は、普通電動役物（第１種始動入賞口）５３は開放動作を行わない。
【００２７】
尚、ゲート６１ａ、６１ｂを通過した遊技球の個数は４個まで記憶され、その個数分普通図柄表示装置６０の隣に設けられる普通図柄用記憶表示ＬＥＤ６２ａ〜６２ｄが点灯する。そしてその記憶表示ＬＥＤ６２ａ〜６２ｄが点灯した個数分、その普通図柄の変動停止が繰り返される。変動時間短縮モード時において記憶による変動開始が行われているときは、変動時間が更に短縮され、約１.０秒以上が経過した時点で変動停止される。
【００２８】
特別図柄表示装置５０の最上部には天入賞口６４が設けられており、その左右両側には左袖入賞口６５ａ及び右袖入賞口６５ｂが設けられ、又、前記第１種特別電動役物５２の左右両側には左落し入賞口６６ａ及び右落し入賞口６６ｂが設けられている。更に遊技盤１４面には、打球槌により弾発発射された遊技球の落下してくる方向を無作為に変更させたり、打球の流下速度及び方向を変化させる風車６７、６７や障害釘６８、６８…、あるいは遊技の演出効果を高めるためある一定の契機により点灯（点滅）を行うランプ風車６９、６９、サイドランプ７０、７０等が設けられている。そして遊技盤１４の最下部には、何れの入賞口にも入賞しなかった遊技球（アウト球）を回収し、集合処理するアウト口７１が設けられている。
【００２９】
発射された遊技球が、遊技盤１４面に設けられた各入賞口のうち、天入賞口６４、左袖入賞口６５ａ、右袖入賞口６５ｂ、第１種始動入賞口５１、普通電動役物（第１種始動入賞口）５３に入賞すると５個、左落し入賞口６６ａ及び右落し入賞口６６ｂに入賞すると１０個、大入賞口５４及び特定入賞口５５に入賞すると１５個の賞球が払出される。
【００３０】
尚、遊技盤１４の遊技領域の外側には、入賞の発生により払い出される賞球数を表示する賞球数表示部７２、賞球の払出し動作時に点灯（点滅）表示駆動される球払出しＬＥＤ７３、タンクやタンクレール上の遊技球が所定量以下になったとき点灯（点滅）し、その旨表示する球切れＬＥＤ７４等が設けられる。
【００３１】
図４は、パチンコ遊技機の裏面図、図５はその外観斜視図である。パチンコ遊技機１０の裏面に設けられる機構板７６面の上方位置に、遊技場の島から供給される遊技球を一時貯留するタンク７７が設けられると共に、そのタンク７７に連設されてタンクレール７８が設けられ、このタンクレール７８の賞球流下下端部分に同じく機構板７６面に設けられる賞球払出機構部８０が連設されている。
【００３２】
このタンクレール７８には、前記タンク７７やタンクレール７８上の遊技球の補給状態により作動される補給スイッチ８１が設けられ、又、賞球払出機構部８０の直前において賞球の欠乏を検出し払出し機構の空動作を防止する為の空切り防止スイッチ８２が設けられている。さらに賞球払出機構により払出された賞球がパチンコ遊技機内で充満した場合にこれを検出する満タンスイッチ８３あるいは機内で充満した遊技球により係動され満タンスイッチ８３を押動する満タンストッパ８４等も備えられている。
【００３３】
また機構板７６には遊技盤１４面の各入賞口に入った入賞球（セーブ球）を一球毎に球切りして検出するセーフ球排出機構部８５が設けられ、このセーフ球排出機構部８５により検出されたセーブ球はこの後機外へ排出されるようになっている。パチンコ遊技機１０の遊技板裏面は中央カバー８６により覆われており、各入賞口に入ったセーフ球はこの中央カバー８６が覆設される機構板７６下部に形成されたセーフ球集合部７６ａで集められてセーフ球排出機構部８５へ導出されるようになっている。
【００３４】
そして各種の制御基板がこの機構板７６には取付けられている。例えば、プリペイドカードに係わる情報をパチンコ遊技機１０の外部において処理するプリペイドカードユニット３０と遊技機本体とを電気的に接続するＣＲ外部接続端子基板８７を含む外部接続端子９７、発生したセーフ球の種別に応じて所定個数の賞球を前記賞球払出機構部８０に払出し動作させる回路が装着されたＣＲ賞球払出制御基板８８、該ＣＲ賞球払出制御基板８８とプリペイドカードユニット３０及び球貸し操作基板、度数表示基板（図２の球貸し操作部３１に収容されている）との間に設けられ、プリペイドカードユニット３０に挿入されたプリペイドカードの情報と、パチンコ遊技機１０の前面に設けられた球貸し操作部３１への球貸し要求信号と球貸し状態を表示する度数表示情報と、球貸し情報に基づいてＣＲ賞球払出制御部を司令制御する情報との授受を行うカードインターフェイス基板８９が設けられている。
【００３５】
また前記ＣＲ外部接続端子基板８７、カードインターフェイス基板８９、ＣＲ賞球払出制御基板８８相互間においてカードデータ処理に係わる信号を中継するＣＲ中継基板９０、パチンコ遊技機１０の遊技盤１４面で発生したセーフ球を検出して特別図柄表示装置５０を駆動制御し、その特別図柄の表示態様を設定切り替え制御し、入賞の種別に対応して所定個数の賞球の払出し等を行う主基板９１等がこの機構板７６に取付けられている。そしてこれら独立してそれぞれ組み付けられた各種基板がパチンコ遊技機に組み付けられた後、コネクタ配線により互いに脱着可能に電気接続されている。パチンコ遊技機１０の外部のプリペイドカードユニット３０と遊技機本体との間の情報の入出力は、カードインターフェイス接続部９２を介して行われる。
【００３６】
前記ＣＲ賞球払出制御基板８８は、賞球の不足欠乏、及び供給状態、排出状態の異常を検出し、払出し動作の停止と、表示動作も合わせて行われるもので、ここにはＣＲ賞球払出制御基板８８や賞球払出機構部８０等の賞球払出制御機構において遊技球の不足、球詰まり、回路操作異常、ソフトエラー等の異常が発生した場合にその旨を表示するエラー表示部９３、あるいはエラー状態が解除された場合に前記エラー表示部９３を初期状態に復帰リセットさせるエラー表示リセットボタン９４が設けられている。
【００３７】
また前記主基板９１には、特定図柄表示装置５０に於いて発生する当たりの出現状態（確率）を３個のＬＥＤにて表示する設定表示ＬＥＤ９５、あるいは前記当たりの出現確率を所定条件下のみ切替え可能に設定する為の確率モード設定スイッチ９６が設けられている。
【００３８】
パチンコ遊技機１０で発生した各種情報は機構板７６の上部片隅に設けられる外部接続端子９７を介して遊技機外部の遊技場管理装置へ出力される。特別図柄表示装置５０の図柄若しくは入賞装置の始動回数、所定図柄の確定により発生する大当たりの発生回数、遊技者に特別な利益状態を継続させる継続情報、当該パチンコ遊技機における当たりの出現確率、不正検出信号等の各種情報がこの外部接続端子９２を介して入出力されることになる。
【００３９】
更に機構板７６の裏面下方隅寄り位置には、前記上受け皿１６に供給された遊技球を遊技盤１４面に向けて弾発発射するための打球発射装置１００が備えられている。この打球発射装置１００は、打球発射モータ１０１のほか、発射装置制御回路、打球槌、弾発力調整手段等により構成される。タッチ感度調整ボリューム１０２は、遊技者の打球発射操作ハンドルへの接触を検出して打球発射モータ１０１の電源を投入するタッチスイッチ回路の検出感度を調整する為に設けられ、又、遊技球発射調整ダイヤル１０３は、遊技盤１４面へ向けての遊技球弾発力、飛走距離をパチンコ遊技機の裏面側で調整設定する為に設けられている。
【００４０】
打球発射装置１００に近接して発射装置制御基板１０４が設けられ、これには打球発射モータ１０１の駆動制御回路及びタッチスイッチ回路が含まれている。打球発射モータ１０１の駆動制御回路では、モータの回転速度、トルク、特に１分間に発射する打球間隔、速度等が設定されている。尚、このパチンコ遊技機１０は電源プラグ１０６を介してＡＣ１００Ｖ電源に接続されている。また前記外部接続端子９７より引き出されたリード線１０７は、コネクタ１０８及び電源プラグ１０９を介してＡＣ２４Ｖ電源に接続されている。
【００４１】
図６は賞球払出機構及びセーフ球排出機構における遊技球の流路を示したものである。初めに賞球払出機構について説明すると、前述したことと一部重複するが、タンクレール７８の球流路下端部に賞球払出樋１１１と球抜き樋１１２とが分岐して設けられ、賞球払出樋１１１の下流位置に前記賞球払出機構部８０が設けられるものであり、その賞球払出機構部８０の開放下端口１１３より流下した賞球はクッションローラ１１４を介して上面開口した箱型の賞球保留部１１５に一時的に保留され、通常は球出口１１６より上受け皿１６へ払出され、上受け皿１６が満杯になったときは、充満した賞球が賞球保留部１１５の側板１１５ａを乗り越え側方溢れ出し路１１５ｂへ転出した後、該側方溢れ出し路１１５ｂに連通する賞球通路樋体１１８を介して下受け皿１７へ払出されるようになっている。第６図に開示された実施例においては壁面を介して裏面側に賞球通路樋体１１８が、表面側にセーフ球排出機構部８５のセーフ球通路８５ａが積層された状態で形成されている。
【００４２】
図７は、賞球払出機構部８０の詳細を示した分解斜視図である。この賞球払出機構部８０は、図７に示すように、機構部本体１２０に賞球モータ１２１が設けられ、そのモータ軸に取付けられるスクリュー回転体１２２が前記開放下端口１１３に臨設されている。また機構部本体１２０に取付けられるケース軸受１２３には賞球払出機構内の賞球を１個宛て検出するフォトセンサ１２４ａ、１２４ｂが設けられている。ケース軸受１２３にはケース軸受カバー１２５が被着される。
【００４３】
この賞球払出機構部８０からの賞球の払出しは、賞球モータ１２１の駆動によりスクリュー回転体１２２が回転駆動され、前述タンク７７及びタンクレール７８上の賞球が賞球払出樋１１１を通って賞球払出機構部８０へ導出され、スクリュー回転体１２２の回転に伴って所定数の球数の賞球が開放下端口１１３より賞球保留部１１５へ払出されるようになっている。
【００４４】
一方セーフ球排出機構部８５は、図８に詳細な断面構造を示したが、機構板７６右下部にユニット化され脱着可能に設けられた機構部本体１２７に一体的に設けられるセーフ球排出樋１２８の途中に切欠開口部１２９が設けられ、その切欠開口部１２９には連続して流下するセーフ球の球切り作用をするテコ部材１３０が臨設される。そしてこのテコ部材１３０を間欠的に揺動作用するセーフ球排出ソレノイド１３１が連繁され、この排出ソレノイド１３１のプランジャの進退動により前記テコ部材１３０が回動軸を中心に揺動され、セーフ球排出樋１２８内に貯留されているセーフ球が１個づつ通過するようになっている。セーフ球排出樋１２８のセーフ球流路にはセーフ球の通過を１個づつ検出するセーフ球検出スイッチ１３２が設けられ、その検出スイッチ１３２による検出信号は前述のＣＲ賞球払出制御基板８８へ送信される。
【００４５】
図９（ａ）は、本発明の要部である賞球払出誘導構造を示した分解斜視図である。また図９（ｂ）はその賞球保留部の断面図、図９（ｃ）は賞球通路樋体１１８の断面図である。この図では、前述の賞球保留部１１５の一側壁を構成する側板１１５ａが機構板７６側縁側の高さが低い上辺傾斜板により構成され、賞球保留部に貯留される賞球がオーバーフローするときはその側板１１５ａの機構板７６側縁側方向へ逃げる状態で溢れ出ることになる。そしてこの溢れ出した賞球は側方溢れ出し路１１５ｂを経て賞球通路樋体１１８へ導かれる。
【００４６】
そこで前記賞球通路樋体１１８は、賞球保留部１１５の側板１１５ａよりオーバーフローする賞球を流下させる傾斜面１３４と、その傾斜下端に設けられその傾斜面１３４に沿って流下する賞球が機構板７６とは同一平面方向に流下されるように該機構板７６面に延設される賞球通路１３５とにより構成されている。そのときに賞球保留部１１５の側板１１５ａが次第に高さを低くしていることに対応して賞球通路樋体１１８の傾斜面１３４もその上縁の高さが次第に低くなって賞球がこの傾斜面１３４に沿って流下し易い形態に形成されている。また前記賞球路１３５は多くとも２個以内の賞球を並んで誘導可能な賞球通路用の底面幅（厚み）で前記賞球保留部１１５と連通状態に形成されている。
【００４７】
したがって例えば、フィーバーの状態となって賞球払出機構部８０から連続して賞球が賞球保留部１１５へ払出されたときに、その賞球保留部１１５が満杯となればその賞球保留部１１５よりオーバーフローする賞球は、賞球通路樋体１１８の傾斜面１３４に沿って流出し、次いで機構板７６と同一平面内の賞球通路１３５を通って下受け皿１７へ払出されることになる。そのとき賞球保留部１１５の側板１１５ａが次第に厚みを減少して賞球を集合する形態に形成されるとともに、賞球通路樋体１１８が多くとも２個以内の賞球を並んで誘導できるように構成されているので賞球保留部１１５内の賞球が満杯になった時には速やかに側板１１５ａより溢れ出して遊技者へ払出されることになる。
【００４８】
そしてこのような構成の賞球払出誘導構造によれば、賞球通路樋体１１８が機構板７６面に賞球払出機構部８０や賞球保留部１１５と同一平面的に設けられているので遊技機そのものの厚みが軽減され、遊技機全体の薄型化が実現される。
【００４９】
また上記実施例のように、賞球保留部１１５は上面が開口した箱型をなし、賞球払出機構部８０の賞球払出開放下端口１１３より流下される賞球がクッションローラ１１４を介して、賞球保留部１１５上に流下されるため、連続的に多数個の賞球が賞球保留部１１５に流下されてもそれらの賞球はその賞球保留部１１５に確実に保留維持され、賞球通路樋体１１８を介して下受け皿１７へ払出されることになる。
【００５０】
そしてこのように構成されているので賞球保留部１１５や賞球通路樋体１１８が占有する賞球の通過経路が膨出形成されることなく、パチンコ遊技機の機構板下部における球導出部の立体容積が減じられる。また、賞球の通過経路とセーフ球の通過経路とを少ない巾内で立体的に交差させ賞球とセーフ球を誘導排出することを可能としている。
【００５１】
また賞球保留部１１５で保留可能な賞球を超える溢れ賞球について、該溢れ賞球を機構板７６の側方へ誘導する溢れ賞球側方誘出手段と、溢れ賞球を上受け皿と反対側の前後方向へ誘導する溢れ賞球前後方向誘出手段とをあわせて設ければ、この場合にはパチンコ遊技機及び機構板の厚みの薄型化は困難ではあるが、迅速な溢れ賞球誘出作用を果たさせることが可能となる。
【００５２】
本発明は上記した実施の形態に何ら限定されるものではなく、本発明の趣旨を逸脱しない範囲で種々の改変が可能である。例えば上記実施例では、賞球通路樋体を機構板とは別部材で図示しているが、これを一体物として合成樹脂により一体成形することも勿論可能である。そうすれば製作工数が一工程削減できて生産効率を高めることができる。
【図面の簡単な説明】
【００５３】
【図１】本発明の一実施の形態におけるパチンコ遊技機の正面図である。
【図２】その外観斜視図である。
【図３】遊技盤面の拡大正面図である。
【図４】図１に示したパチンコ遊技機の裏面図である。
【図５】その外観斜視図である。
【図６】このパチンコ遊技機における賞球払出機構及びセーフ球排出機構における遊技球（賞球、セーフ球）の流出経路を示した図である。
【図７】図６に示した賞球払出機構部の詳細を示した分解斜視図である。
【図８】図６に示したセーフ球排出機構部の詳細を示した拡大断面図である。
【図９（ａ）】本発明の賞球払出誘導構造を示した分解斜視図、
【図９（ｂ）】図９（ａ）の賞球保留部の断面図
【図９（ｃ）】図９（ｂ）の賞球保留部の外側に位置する賞球通路樋体の断面図である。
【符号の説明】
【００５４】
１０  パチンコ遊技機
１６  球受け皿（上受け皿）
１７  球受け皿（下受け皿）
５０  特別図柄表示装置
６０  普通図柄表示装置
７６  機構板
８０  賞球払出機構部
８５  セーフ球排出機構部
１１５  賞球保留部
１１５ａ  側板
１１５ｂ  側方溢れ出し路
１１８  賞球通路樋体
１３４  傾斜面
１３５  賞球通路
【図１】
2004358220.tif 000003
【図２】
2004358220.tif 000004
【図３】
2004358220.tif 000005
【図４】
2004358220.tif 000006
【図５】
2004358220.tif 000007
【図６】
2004358220.tif 000008
【図７】
2004358220.tif 000009
【図８】
2004358220.tif 000010
【図９（ａ）】
2004358220.tif 000011
【図９（ｂ）】
2004358220.tif 000012
【図９（ｃ）】
2004358220.tif 000013